(57)【要約】  端子台１ＢＴＢにおける入力端子１ＢＴが存在しない部分に形成された設置領域１ＢＴＡ、設置領域１ＢＴＡにそれぞれ離間して横並びに並設して配設された赤外線送信素子６および赤外線受信素子７、及び端子カバー２の裏面に赤外線送信素子６および赤外線受信素子７に対向して配設され端子カバー２が閉じている状態において赤外線送信素子６から送信された赤外線を反射して赤外線受信素子７に入力させる反射部材９を備え、端子カバー２が閉じている状態では赤外線送信素子６と赤外線受信素子７と反射部材９とは端子カバー２によって覆われており、端子カバー２が閉じている状態では赤外線入力が行われ端子カバー２が開いた或いは外された状態においては赤外線入力が行われないという赤外線の入力状態から端子カバー２が閉じられているか否かの状態をＣＰＵにより判別することでカバー開閉検知の信頼性を向上する。
2013118257.tif 000002
【特許請求の範囲】
【請求項１】
計量対象の電路から入力された電流及び電圧から電力量を含む必要な諸電気量を演算するＣＰＵと前記演算された諸電気量のデータを保存する電力量計量部とこの電気量計量部に保存された前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計において、
前記端子台における前記入力端子が存在しない部分に形成された設置領域、
前記設置領域にそれぞれ離間して配設された赤外線送信素子および赤外線受信素子、
及び前記端子カバーの裏面に前記赤外線送信素子および赤外線受信素子に対向して配設され前記端子カバーが閉じている状態において前記赤外線送信素子から送信された赤外線を反射して前記赤外線受信素子に入力させる反射部材を備え、
前記端子カバーが閉じている状態では前記赤外線送信素子と前記赤外線受信素子と前記反射部材とは前記前記端子カバーによって覆われており、
前記端子カバーが閉じている状態では前記入力が行われ前記端子カバーが開いた或いは外された状態においては前記入力が行われないという前記赤外線の入力状態から前記端子カバーが閉じられているか否かの状態を前記ＣＰＵにより判別する
ことを特徴とする電子式電力量計。
【請求項２】
前記赤外線受信素子への前記赤外線の入力が所定時間存在しないことを前記ＣＰＵが検知した場合、前記赤外線受信素子への前記赤外線の入力が所定時間存在しないことの情報を外部へ通報することを特徴とする請求項1に記載の電子式電力量計。
【請求項３】
前記外部への通報が、異常を通報する異常通報であることを特徴とする請求項２に記載の電子式電力量計。
【請求項４】
前記外部へ通報する通信部が、前記諸電気量のデータを外部に送信する出力部とは別に設けられていることを特徴とする請求項２または請求項３に記載の電子式電力量計。
【請求項５】
前記所定時間が、前記通信部を介して外部から設定されることを特徴とする請求項４に記載の電子式電力量計。
【請求項６】
前記赤外線受信素子への前記赤外線の入力が所定時間存在しないことを前記ＣＰＵが検知した場合、警報を発する警報発報器が前記電力量計本体部に内蔵されていることを特徴とする請求項1または請求項３に記載の電子式電力量計。
【請求項７】
前記所定時間が可変であることを特徴とする請求項1に記載の電子式電力量計。
【請求項８】
前記所定時間が可変であることを特徴とする請求項５に記載の電子式電力量計。
【請求項９】
前記端子カバーが閉じている状態では前記入力が行われ前記端子カバーが開いた或いは外された状態においては前記入力が行われない前記赤外線の入力状態から前記端子カバーが閉じられているか否かを判別する機能を設定及び解除できることを特徴とする請求項５に記載の電子式電力量計。
【請求項１０】
前記端子カバーが閉じている状態では前記入力が行われ前記端子カバーが開いた或いは外された状態においては前記入力が行われない前記赤外線の入力状態から前記端子カバーが閉じられているか否かを判別する機能を、前記通信部を介して外部から設定及び解除できることを特徴とする請求項５に記載の電子式電力量計。
【発明の詳細な説明】
【技術分野】
【０００１】
この発明は、電気料金の取引に使用する電子式電力量計の設置・配線完了後に不正操作を防止するために端子カバーの装着状態を監視する装置に関するものである。
【背景技術】
【０００２】
従来より電子式電力量計は、盗電等の不正な配線操作が行われていないか監視するために、端子カバーの装着状態検知の仕組みを持っている。例えば、本体にスイッチを配設し、端子カバーには突起部分を配設することにより、本体へ端子カバーを装着した際には、端子カバーの突起部分が本体スイッチを押下し、端子カバーの装着状態を検知し、端子カバーが取外された場合は、本体スイッチと端子カバー突起部分が離れることにより、端子カバーが取外された状態を検知して、不正な配線操作が行われたかどうか判別するものがある。
また、端子カバーの装着検知方法として、封印ねじの位置をセンサにて検知するものがある。
なお、不正配線が行われることがあることは周知であり、例えば、単相２線式の場合は、電力量計内の電流センサへの入出力電線間を導電線で短絡すれば、電力を使用しても電流センサに電流が流れなくなり電力量の計量がされなくなることから、不正配線が行われることがある。
【特許文献１】２００２−２５７８６２号公報（図４及びその説明）
【発明の開示】
【発明が解決しようとする課題】
【０００３】
従来の電子式電力量計は以上のようにスイッチによる端子カバーの装着状態検知を行っているため、検知用のスイッチを別途用意する必要があることに加え、機械的な動作による検知のため、スイッチ部の信頼性に課題があった。【０００４】
この発明は、上記のような課題を解決するためになされたもので、少ない部品点数で、検知の信頼性を向上した電子式電力量計を提供するものである。
【課題を解決するための手段】
【０００５】
本発明に係る電子式電力量計は、計量対象の電路から入力された電流及び電圧から電力量を含む必要な諸電気量を演算するＣＰＵと前記演算された諸電気量のデータを保存する電力量計量部とこの電気量計量部に保存された前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計において、前記端子台における前記入力端子が存在しない部分に形成された設置領域、前記設置領域にそれぞれ離間して配設された赤外線送信素子および赤外線受信素子、及び前記端子カバーの裏面に前記赤外線送信素子および赤外線受信素子に対向して配設され前記端子カバーが閉じている状態において前記赤外線送信素子から送信された赤外線を反射して前記赤外線受信素子に入力させる反射部材を備え、前記端子カバーが閉じている状態では前記赤外線送信素子と前記赤外線受信素子と前記反射部材とは前記前記端子カバーによって覆われており、前記端子カバーが閉じている状態では前記入力が行われ前記端子カバーが開いた或いは外された状態においては前記入力が行われないという前記赤外線の入力状態から前記端子カバーが閉じられているか否かの状態を前記ＣＰＵにより判別することにより、少ない部品点数で、検知の信頼性を向上させるものである。
【発明の効果】
【０００６】
本発明による電子式電力量計は、計量対象の電路から入力された電流及び電圧から電力量を含む必要な諸電気量を演算するＣＰＵと前記演算された諸電気量のデータを保存する電力量計量部とこの電気量計量部に保存された前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計において、前記端子台における前記入力端子が存在しない部分に形成された設置領域、前記設置領域にそれぞれ離間して配設された赤外線送信素子および赤外線受信素子、及び前記端子カバーの裏面に前記赤外線送信素子および赤外線受信素子に対向して配設され前記端子カバーが閉じている状態において前記赤外線送信素子から送信された赤外線を反射して前記赤外線受信素子に入力させる反射部材を備え、前記端子カバーが閉じている状態では前記赤外線送信素子と前記赤外線受信素子と前記反射部材とは前記前記端子カバーによって覆われており、前記端子カバーが閉じている状態では前記入力が行われ前記端子カバーが開いた或いは外された状態においては前記入力が行われないという前記赤外線の入力状態から前記端子カバーが閉じられているか否かの状態を前記ＣＰＵにより判別するように構成したので、機械的なスイッチが不要となり検知の信頼性を向上することができる。
【図面の簡単な説明】
【０００７】
【図１】本発明の実施の形態１における電子式電力量計の外観の一例を示す斜視図である。
【図２】図１において端子カバーを取外した状態での外観の一例を示す斜視図である。
【図３】図１のＡ−Ａ線における断面を矢印方向に見た側断面図である。
【図４】図２のＢ−Ｂ線における断面を矢印方向に見た側断面図である。
【図５】本発明の実施の形態１における電子式電力量計の内部構成の一例を示すブロック図である。
【図６】図１から図２へ状態が変化するときの赤外線データ送受信状態を説明する説明図である。
【図７】本発明の実施の形態１における電子式電力量計の端子カバー取り外し検知の動作の一例を示すフローチャートである。
【図８】図２から図１へ状態が変化するときの赤外線データ送受信状態の一例を説明する説明図である。
【図９】本発明の実施の形態１における電子式電力量計の端子カバー装着検知の動作の一例を示すフローチャートである。
【発明を実施するための最良の形態】
【０００８】
実施の形態１．
本発明の実施の形態１の電子式電力量計を図１〜図５を用いて説明する。
図１は本発明の実施形態１における電子式電力量計１００の外観斜視図、図２は、本発明の実施形態１における電子式電力量計１００の端子カバー２を取外した状態の外観斜視図、図３は図1のＡ−Ａ側断面図、図４は、端子カバー２を外した状態の電子式電力量計１００を示す図２のＢ−Ｂ側断面図、図５は電子式電力量計１００の内部構成を示すブロック図、図６は図１から図２へ状態が変化するときの赤外線データ送受信状態を説明する説明図、図７は端子カバー取り外し検知の動作を示すフローチャート、図８は図２から図１へ状態が変化するときの赤外線データ送受信状態を説明する説明図、図９は端子カバー装着検知の動作を示すフローチャートである。【０００９】
図１、図２において、１Ａは電力量計本体部、１Ｂは端子部、１ＢＴは入力端子、１ＢＴＡは設置領域、１ＢＴＢは端子台、２は端子カバー、３は赤外線データ送信部、４は赤外線データ受信部であり、５は赤外線通信用プローブ固定ガイドである。【００１０】
図３において、６は赤外線データを送信する赤外線送信素子、７は赤外線データを受信する赤外線受信素子、８a、８ｂは導光レンズ、９は反射部材、１０はカバーである。カバー１０は、透明の樹脂成形品から成り、導光レンズ８a、８ｂはカバー１０と一体に形成されている。【００１１】
図５に示すように、電子式電力量計１００は、電路ＰＳＬのＣＴ、ＶＴからの入力をデジタル信号に変換する電流入力部２２と電圧入力部２３へ入力された電流値、電圧値から電圧、電流、電力、無効電力、力率、周波数などの各種電気量を演算する計測演算部２４と、この計測演算部２４で演算した計測値や設定項目を表示する表示部２５と、計測演算部２４による計測演算や、表示部２５における表示のための各種設定や表示内容の切替え制御を行うＣＰＵ２６と、このＣＰＵ２６への設定操作を行う操作部２７とを備えている。【００１２】
電子式指示計器１００は、更に、電力量の積算値に応じたパルスを外部へ出力するためのパスル出力部２８と、パスル出力の設定及びＣＴ、ＶＴの定数設定など各設定項目の設定データを外部の設定器と送受信できる赤外線通信制御部２９と、電力量の検針値や不正使用などを電力会社のセンターに通報するための無線通信部３０と、自身が警報を発する警報発報部４０を備えている。
赤外線通信制御部２９には、前述した赤外線データを送受信する赤外線送信素子６及び赤外線受信素子７が接続されている。【００１３】
次に赤外線データ送受信部による端子カバー２の取外し検知モードと、外部設定器とデータ通信を行う赤外線通信モードの切り替え動作について説明する。
図６は図1の端子カバー２装着状態から図２の端子カバー２取り外し状態へ状態が変化するときの赤外線データ送受信状態図、図７は図２の端子カバー２取り外し状態から図１の端子カバー２装着状態へ状態が変化するときの赤外線データ送受信状態図である。【００１４】
図３に示すように、赤外線送信素子６から送信された赤外線データは、導光レンズ８ａを介して上部へ誘導され、反射部材９の表面で反射され、導光レンズ８ｂを介して、赤外線受信素子７へ受信する。電子式電力量計１００は、図８に示すように、この動作を一定の間隔で行い、正常に送受信が行われた場合、端子カバー２は装着と検知する。【００１５】
図４に示すように、端子カバー２を取り外すと、赤外線送信素子６から送信された赤外線データは、導光レンズ８ａを介して上部へ導かれるが、その後は反射部材がなく反射されないため、赤外線受信素子７へ赤外線データが誘導されず、赤外線データは受信されない。電子式電力量計１００は、図６に示すように、この赤外線データが受信されない状態になると、端子カバー２が取外し状態になったことを検知する。【００１６】
具体的には、計量対象の電路ＰＳＬから入力された電流及び電圧から電力量を含む必要な諸電気量を演算するＣＰＵ２６と前記演算された諸電気量のデータを保存する電力量計量部２４とこの電気量計量部２４に保存された前記諸電気量のデータを外部に送信する出力部２８とを備えた電力量計量機能中枢部を内蔵する電力量計本体部１Ａ、および前記電路ＰＳＬから入力される電流及び電圧を取り込む入力端子１ＢＴを有する端子台１ＢＴＢと前記入力端子１ＢＴを覆う端子カバー２とを備えた端子部１Ｂとを一体に有する電子式電力量計１００であって、前記端子台１ＢＴＢにおける前記入力端子１ＢＴが存在しない部分に形成された設置領域１ＢＴＡ、前記設置領域１ＢＴＡにそれぞれ離間して横並びに並設して配設された赤外線送信素子６および赤外線受信素子７、及び前記端子カバー２の裏面に前記赤外線送信素子６および赤外線受信素子７に対向して配設され前記端子カバー２が閉じている状態において前記赤外線送信素子６から送信された赤外線を反射して前記赤外線受信素子７に入力させる反射部材９を備え、前記端子カバー２が閉じている状態では前記赤外線送信素子６と前記赤外線受信素子７と前記反射部材９とは前記端子カバー２によって覆われており、前記端子カバー２が閉じている状態では前記赤外線入力が行われ前記端子カバー２が開いた或いは外された状態においては前記赤外線入力が行われないという前記赤外線の入力状態から前記端子カバー２が閉じられているか否かの状態を前記ＣＰＵにより判別するものである。【００１７】
また、前記赤外線受信素子７への前記赤外線の入力が所定時間存在しないことを前記ＣＰＵ２６が検知した場合、前記赤外線受信素子７への前記赤外線の入力が所定時間存在しないことの情報を外部へ通報するものである。また、前記外部への通報が、異常を通報する異常通報である。【００１８】
また、前記外部へ通報する通信部３０が、前記諸電気量のデータを外部に送信する出力部２８とは別に設けられているものである。また、前記所定時間が、前記通信部３０を介して外部から設定されるものである。【００１９】
また、前記赤外線受信素子７への前記赤外線の入力が所定時間存在しないことを前記ＣＰＵ２６が検知した場合、警報を発する警報発報器４０が前記電力量計本体部１Ａに内蔵されているものである。また、前記所定時間が可変である。【００２０】
また、前記端子カバー２が閉じている状態では前記入力が行われ前記端子カバー２が開いた或いは外された状態においては前記入力が行われない前記赤外線の入力状態から前記端子カバー２が閉じられているか否かを判別する機能を設定及び解除できるものである。また、前記端子カバーが閉じている状態では前記入力が行われ前記端子カバーが開いた或いは外された状態においては前記入力が行われない前記赤外線の入力状態から前記端子カバーが閉じられているか否かを判別する機能を、前記通信部を介して外部から設定及び解除できるものである。【００２１】
また、前述の不正配線は、本実施の形態の場合は、端子カバー２を開いて、ＣＴの出力端に接続される入力端子１ＢＴ，１ＢＴ間を導電線で短絡することにより行われる。従って、端子カバー２を開けて行われる不正配線を検知するためにも、本実施の形態では、以下のような端子カバー２の取り外しの検出動作が行われる。【００２２】
次に、端子カバー２の取り外しの検出動作について説明する。
図６に示すように、端子カバー２が装着された状態では、赤外線送信素子７より端子カバー２の装着の検知用データが一定の間隔で送信されている。端子カバーが装着されている場合、赤外線送信素子６から送信された検知用データは、反射部材９で反射され、赤外線受信素子７で受信される。端子カバー２が取外された場合、検知用データは、反射部材９で反射されないので、赤外線受信素子７にてデータ受信が行えなくなり、端子カバー２の取外しを検知可能となる。【００２３】
この端子カバー２の取外しを検知する動作について、図７を用いて詳細に説明する。
ＣＰＵ２６は、赤外線通信制御部２９から赤外線送信素子６を介して、検知用データを送信し（ステップＳ１１）、検知用データを赤外線受信素子７から赤外線通信制御部２９を介して受信できたかどうかを判断する（ステップＳ１２）。受信できた場合には、カウンタＮをリセットし（ステップＳ１３）、次の検知用データ送信（ステップＳ１１）までの所定時間の待ち処理を行う（ステップＳ１３）。【００２４】
一方、ステップＳ１２で検知用データが受信できなかった場合には、ステップＳ１５に進み、カウンタＮをカウントアップする積算を行い、次にカウンタＮが第1の所定数を超えたかどうかを判断する（ステップＳ１６）。カウンタＮが第1の所定数を超えていない場合には、ステップＳ１４に進み、次の検知用データ送信（ステップＳ１１）までの所定時間の待ち処理を行う（ステップＳ１３）。カウンタＮが第1の所定数を超えていた場合には、端子カバー２が取り外し検知の処理を行う（ステップＳ１７）。【００２５】
次にステップＳ１８に進み、本来の赤外線通信の目的である外部の設定器からの通信データを受信したかを判断する。設定器からの通信データを受信した場合には、不正な端子カバーの取り外しではないので、処理を終了します。設定器からの通信データを受信しなかった場合には、ステップＳ１９に進み、カウンタＭが第２の所定数を超えていないかどうかを判断する。カウンタＭが第２の所定数を超えていない場合には、ステップＳ２０に進み、カウンタＭをカウントアップする積算処理を行い、ステップＳ１８の設定器からの受信データの判断処理に戻る。【００２６】
カウンタＭが第２の所定数を超えていた場合には、ステップＳ２１に進み、不正操作検出処理を行った後、無線通信部３０から外部へ異常通報するとともに、警報出力からアラームを発する。  この一定時間は、予め赤外線データ送受信部から設定できるとともに、別途設けられた通信手段を用いて外部からも設定できる。【００２７】
次に通常の赤外線通信を終了し端子カバーを装着する動作について説明する。
図８に示すように、通常の赤外線通信を終了すると一定の時間（図８では「一定時間」と記載してある）をおいて、端子カバー２が装着されたことを検知するため、検知用データの送信を自動的に開始する。端子カバー２が装着されていれば、赤外線送信素子６から送信された検知用データは、反射部材９で反射され、赤外線受信素子７で受信されるので、端子カバー２の装着状態を検知することができる。前記一定の時間は、予め赤外線データ送受信部から設定できるとともに、別途設けられた通信手段を用いて外部からも設定できる。外部からの設定は、電力量計から遠方の遠隔地に設置された外部の設定器（図示省略）により行われるようにしてもよい。前記外部の設定器の機能は、大きく分類すると、次の３つがある。
（１）電力量計からデータ（電力量、瞬時電力、力率などの計測値）を取得する。
（２）電力量計に内蔵のリレーを制御（開／閉）する。
（３）電力量計に対し、パラメータ（日付・時刻、計量方法（ポストペイドまたはプリペイド）等）を設定する。【００２８】
この端子カバー２の装着を検知する動作について、図９を用いて詳細に説明する。
ＣＰＵ２６は、赤外線通信制御部２９を介し設定器との赤外線通信が終了（ステップＳ１０１）した後、所定時間の経過待ち処理を行う（ステップＳ１０２）。所定時間が経過したら、カウンタＬをリセットした後（ステップＳ１０３）、赤外線通信制御部２９から赤外線送信素子６を介して、検知用データを送信し（ステップＳ１０４）、検知用データを赤外線受信素子７から赤外線通信制御部２９を介して受信できたかどうかを判断する（ステップＳ１０５）。受信できた場合には、端子カバー２の装着検知の処理を行い（ステップＳ１０６）、本処理は終了し、再度、端子カバー２の取り外しの検出動作に移行する。【００２９】
一方、ステップＳ１０５で検知用データが受信できなかった場合には、ステップＳ１０７に進み、カウンタＬが第３の所定数を超えていないかどうかを判断する。カウンタＬが第３の所定数を超えていない場合には、カウンタＬをカウントアップする積算を行った後（ステップＳ１０８）、次の検知用データを送信する（ステップＳ１０４）。ステップＳ１０７でカウンタＬが第３の所定数を超えた場合には、端子カバー２の装着異常の処理（ステップＳ１０９）を行った後、無線通信部３０から外部へ異常通報するとともに（ステップＳ１１０）、警報出力からアラームを発する。
上記端子カバー装着の検知用データ送信の開始は、赤外線通信終了時に開始要求のデータ送信をすることでも可能である。【００３０】
本実施の形態によれば、外部の設定器と通信を行う赤外線データ送受信部２９から赤外線送信素子６を介して送出した検知用データを端子カバー２に設けた反射部材９で反射させ、該検知用データを赤外線受信素子７から赤外線データ送受信部２９で受信することにより端子カバーの有無を検知するので、機械的なスイッチが不要となり端子カバー２の検知の信頼性を向上することができる。【００３１】
また、外部の設定器と通信を行うために設けた赤外線データ送受信部２９及び赤外線送信素子６、赤外線受信素子７を用いて、端子カバー２の検知を行うスイッチ等が必要なく低コスト化できる。【００３２】
また、通信用の赤外線を用いて端子カバー２の検知を行うので、端子カバー２の検知を行う部分に孔部を設ける必要がなく防水性能を向上できる。【００３３】
なお、本発明は、その発明の範囲内において、実施の形態を適宜、変形、省略することができる。
なお、各図中、同一符合は同一または相当部分を示す。
【符号の説明】
【００３４】
１    電力量計量部、        １Ａ    電力量計本体部、
１Ｂ    端子部、            １ＢＴ    入力端子、
１ＢＴＡ    設置領域、      １ＢＴＢ    端子台、
２    端子カバー、          ３    赤外線データ送信部、
４    赤外線データ受信部、  ５    赤外線通信用プローブ固定ガイド、
６    赤外線送信素子、      ７    赤外線受信素子、
８ａ  導光レンズ、          ８ｂ  導光レンズ、
９    反射部材、            １０    カバー、
２２    電流入力部、        ２３    電圧入力部、
２４    電力量計量部、      ２５    表示部、
２６    ＣＰＵ、            ２８    パルス出力部、
２９    赤外線通信制御部、  ３０    無線通信部、
４０    警報発報部、        １００  電子式電力量計、
ＰＳＬ    電路。
【図１】
2013118257.tif 000003
【図２】
2013118257.tif 000004
【図３】
2013118257.tif 000005
【図４】
2013118257.tif 000006
【図５】
2013118257.tif 000007
【図６】
2013118257.tif 000008
【図７】
2013118257.tif 000009
【図８】
2013118257.tif 000010
【図９】
2013118257.tif 000011
【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
計量対象の電路から入力された電流及び電圧から電力量を含む必要な諸電気量を演算する計測演算部とこの計測演算部で演算された前記前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計であって、
前記端子台における前記入力端子が存在しない部分に形成された設置領域、
前記設置領域にそれぞれ離間して配設された赤外線送信素子および赤外線受信素子、
前記端子カバーの裏面に前記赤外線送信素子および赤外線受信素子に対向して配設され前記端子カバーが閉じている状態において前記赤外線送信素子から送信された検知用データである赤外線を反射して前記赤外線受信素子に入力させる反射部材、及び
前記両赤外線素子により設定器と送受信する赤外線通信制御部を備え、
前記赤外線送信素子から送信された赤外線は、前記反射部材の表面で反射され、前記赤外線受信素子へ受信され、前記端子カバーが閉じている状態では前記赤外線送信素子と前記赤外線受信素子と前記反射部材とは前記端子カバーによって覆われており、前記端子カバーが閉じている状態では前記入力が行われ前記端子カバーが開いた或いは外された状態においては前記入力が行われないという前記赤外線の入力状態から前記端子カバーが閉じられているか否かの状態をＣＰＵにより判別し、
前記端子カバーが閉じられていないと前記ＣＰＵが判別し且つ前記外部の設定器からの通信データを受信しなかった場合には、不正操作検出を行う
ことを特徴とする電子式電力量計。
【請求項２】
前記端子カバーが閉じられていないと前記ＣＰＵが判別し且つ前記外部の設定器からの通信データを受信した場合には、不正操作検出を行なわない
ことを特徴とする請求項１に記載の電子式電力量計。
【請求項３】
前記赤外線送信素子から送信された検知用データである赤外線が一定間隔であり、前記赤外線受信素子が前記赤外線送信素子から送信された検知用データである赤外線を受信できなかった場合は、カウンタ値が第１の所定数を超えれば前記端子カバーが取り外されたと検知し、
前記端子カバーが取り外されたと検知され前記外部の設定器からの通信データを受信しなかった場合は、カウンタ値が第２の所定数を超えれば不正操作検出処理を行ない外部へ異常通報する
ことを特徴とする請求項１または請求項２に記載の電子式電力量計。
【請求項４】
前記赤外線受信素子への前記赤外線の入力が所定時間存在しないことを前記ＣＰＵが検知した場合、前記赤外線受信素子への前記赤外線の入力が所定時間存在しないことの情報を外部へ通報することを特徴とする請求項１に記載の電子式電力量計。
【請求項５】
前記所定時間が可変であることを特徴とする請求項４に記載の電子式電力量計。
【手続補正書】
【提出日】平成26年7月1日(2014.7.1)
【手続補正１】
【補正対象書類名】特許請求の範囲
【補正対象項目名】全文
【補正方法】変更
【補正の内容】
【特許請求の範囲】
【請求項１】
計量対象の電路から入力された電流及び電圧から電力量を含む必要な諸電気量を演算するＣＰＵとこのＣＰＵで演算された前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計であって、
前記端子台における前記入力端子が存在しない部分に形成された設置領域、
前記設置領域にそれぞれ離間して配設された赤外線送信素子および赤外線受信素子、
前記端子カバーの裏面に前記赤外線送信素子および赤外線受信素子に対向して配設され前記端子カバーが閉じている状態において前記赤外線送信素子から送信された検知用データである赤外線を反射して前記赤外線受信素子に入力させる反射部材、及び、
前記両赤外線素子により設定器と送受信する赤外線通信制御部を備え、
前記赤外線送信素子から送信された赤外線は、前記反射部材の表面で反射され、前記赤外線受信素子へ受信され、前記端子カバーが閉じている状態では前記赤外線送信素子と前記赤外線受信素子と前記反射部材とは前記端子カバーによって覆われており、前記端子カバーが閉じている状態では前記入力が行われ前記端子カバーが開いた或いは外された状態においては前記入力が行われないという前記赤外線の入力状態から前記端子カバーが閉じられているか否かの状態を前記ＣＰＵにより判別し、
前記端子カバーが閉じられていないと前記ＣＰＵが判別し且つ前記外部の設定器からの通信データを受信しなかった場合には、不正操作検出を行い、前記端子カバーが閉じられていないと前記ＣＰＵが判別し且つ前記外部の設定器からの通信データを受信した場合には、不正操作検出を行わない
ことを特徴とする電子式電力量計。
【請求項２】
前記赤外線送信素子から送信された検知用データである赤外線が一定間隔であり、前記赤外線受信素子が前記赤外線送信素子から送信された検知用データを受信できなかった場合は、カウンタ値が第１の所定数を超えれば前記端子カバーが取り外されたと検知し、
前記端子カバーが取り外されたと検知され前記外部の設定器からの通信データを受信しなかった場合は、カウンタ値が第２の所定数を超えれば不正操作検出処理を行い外部へ異常通報する
ことを特徴とする請求項１に記載の電子式電力量計。
【請求項３】
前記赤外線受信素子への前記赤外線の入力が所定時間存在しないことを前記ＣＰＵが検知した場合、前記赤外線受信素子への前記赤外線の入力が所定時間存在しないことの情報を外部へ通報することを特徴とする請求項１に記載の電子式電力量計。
【請求項４】
前記所定時間が、可変であることを特徴とする請求項３に記載の電子式電力量計。 
【手続補正２】
【補正対象書類名】明細書
【補正対象項目名】０００５
【補正方法】変更
【補正の内容】
【０００５】
本発明に係る電子式電力量計は、計量対象の電路から入力された電流及び電圧から電力量を含む必要な諸電気量を演算するＣＰＵとこのＣＰＵで演算された前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計であって、前記端子台における前記入力端子が存在しない部分に形成された設置領域、前記設置領域にそれぞれ離間して配設された赤外線送信素子および赤外線受信素子、及び前記端子カバーの裏面に前記赤外線送信素子および赤外線受信素子に対向して配設され前記端子カバーが閉じている状態において前記赤外線送信素子から送信された検知用データである赤外線を反射して前記赤外線受信素子に入力させる反射部材、及び前記両赤外線素子により設定器と送受信する赤外線通信制御部を備え、前記赤外線送信素子から送信された赤外線は、前記反射部材の表面で反射され、前記赤外線受信素子へ受信され、前記端子カバーが閉じている状態では前記赤外線送信素子と前記赤外線受信素子と前記反射部材とは前記前記端子カバーによって覆われており、前記端子カバーが閉じている状態では前記入力が行われ前記端子カバーが開いた或いは外された状態においては前記入力が行われないという前記赤外線の入力状態から前記端子カバーが閉じられているか否かの状態をＣＰＵにより判別し、前記端子カバーが閉じられていないと前記ＣＰＵが判別し且つ前記外部の設定器からの通信データを受信しなかった場合には、不正操作検出を行い、前記端子カバーが閉じられていないと前記ＣＰＵが判別し且つ前記外部の設定器からの通信データを受信した場合には、不正操作検出を行わないことにより、少ない部品点数で、検知の信頼性を向上させるものである。 
【手続補正３】
【補正対象書類名】明細書
【補正対象項目名】０００６
【補正方法】変更
【補正の内容】
【０００６】
本発明による電子式電力量計は計量対象の電路から入力された電流及び電圧から電力量を含む必要な諸電気量を演算するＣＰＵとこのＣＰＵで演算された前記諸電気量のデータを外部に送信する出力部とを備えた電力量計量機能中枢部を内蔵する電力量計本体部、および前記電路から入力される電流及び電圧を取り込む入力端子を有する端子台と前記入力端子を覆う端子カバーとを備えた端子部とを一体に有する電子式電力量計であって、前記端子台における前記入力端子が存在しない部分に形成された設置領域、前記設置領域にそれぞれ離間して配設された赤外線送信素子および赤外線受信素子、及び前記端子カバーの裏面に前記赤外線送信素子および赤外線受信素子に対向して配設され前記端子カバーが閉じている状態において前記赤外線送信素子から送信された検知用データである赤外線を反射して前記赤外線受信素子に入力させる反射部材、及び前記両赤外線素子により設定器と送受信する赤外線通信制御部を備え、前記赤外線送信素子から送信された赤外線は、前記反射部材の表面で反射され、前記赤外線受信素子へ受信され、前記端子カバーが閉じている状態では前記赤外線送信素子と前記赤外線受信素子と前記反射部材とは前記前記端子カバーによって覆われており、前記端子カバーが閉じている状態では前記入力が行われ前記端子カバーが開いた或いは外された状態においては前記入力が行われないという前記赤外線の入力状態から前記端子カバーが閉じられているか否かの状態をＣＰＵにより判別し、前記端子カバーが閉じられていないと前記ＣＰＵが判別し且つ前記外部の設定器からの通信データを受信しなかった場合には、不正操作検出を行い、前記端子カバーが閉じられていないと前記ＣＰＵが判別し且つ前記外部の設定器からの通信データを受信した場合には、不正操作検出を行わないように構成したので、機械的なスイッチが不要となり検知の信頼性を向上することができる。
【国際調査報告】
2013118257.tif 000012
2013118257.tif 000013
2013118257.tif 000014
2013118257.tif 000015
2013118257.tif 000016
2013118257.tif 000017